(57)【特許請求の範囲】
【請求項１】
複数の第１の信号と複数の第２の信号とを出力する制御回路と、
前記複数の第１の信号の各々が入力される複数の第１のプッシュプル回路と、
前記複数の第２の信号の各々が入力される複数の第２のプッシュプル回路と、
前記複数の第１のプッシュプル回路の出力の内の１つと前記複数の第２のプッシュプル回路の出力の内の１つとの間の各々に接続され得る複数の発光素子群と
を具備し、
前記第１の信号が第１の値であり且つ前記第２の信号が第２の値である場合には前記第１のプッシュプル回路から前記第２のプッシュプル回路の方向へ第１の電流が流れ、
前記第２の信号が第１の値であり且つ前記第１の信号が第２の値である場合には前記第２のプッシュプル回路から前記第１のプッシュプル回路の方向へ第２の電流が流れ、
前記複数の発光素子群の各々は、
前記第１の電流でのみ点灯する第１の発光素子または前記第２の電流でのみ点灯する第２の発光素子あるいは並列に接続された前記第１の発光素子および前記第２の発光素子から成り、
前記発光素子群と当該発光素子群と接続された前記第１のプッシュプル回路との間、又は前記発光素子群と当該発光素子群と接続された前記第２のプッシュプル回路との間には、当該発光素子群を流れる電流の向きに応じて電流の絶対値を異ならせる電流調整部が設けられたことを特徴とする点灯制御回路。
【請求項２】
前記電流調整部は、前記第１の電流及び前記第２の電流が流れる方向に沿って並列に接続された整流素子と抵抗素子で構成されたことを特徴とする請求項１に記載の点灯制御回路。
【請求項３】
複数の第１の信号と複数の第２の信号とを出力する制御回路と、
前記複数の第１の信号の各々が入力される複数の第１のプッシュプル回路と、
前記複数の第２の信号の各々が入力される複数の第２のプッシュプル回路と、
前記複数の第１のプッシュプル回路の出力の内の１つと前記複数の第２のプッシュプル回路の出力の内の１つとの間の各々に接続され得る複数の発光素子群と
を具備し、
前記第１の信号が第１の値であり且つ前記第２の信号が第２の値である場合には前記第１のプッシュプル回路から前記第２のプッシュプル回路の方向へ第１の電流が流れ、
前記第２の信号が第１の値であり且つ前記第１の信号が第２の値である場合には前記第２のプッシュプル回路から前記第１のプッシュプル回路の方向へ第２の電流が流れ、
前記複数の発光素子群の各々は、
前記第１の電流でのみ点灯する第１の発光素子または前記第２の電流でのみ点灯する第２の発光素子あるいは並列に接続された前記第１の発光素子および前記第２の発光素子から成り、
前記複数の前記第１のプッシュプル回路の出力と前記複数の前記第２のプッシュプル回路の出力との間において、前記発光素子群が接続された部分と、単一の発光素子が接続された部分とが混在することを特徴とする点灯制御回路。
【請求項４】
前記制御回路は、
前記複数の第１の信号の内の１つのみを順次前記第１値とする第１の周期と、
前記複数の第１の信号の内の１つのみを順次前記第２値とする第２の周期と
を交互に繰り返す
ことを特徴とする請求項１から請求項３までのいずれか１項に記載の点灯制御回路。
【請求項５】
前記制御回路は、
少なくとも前記複数の第１の信号の各々について、前記第１の電流および前記第２の電流の何れも流れない第３の値とし得る
ことを特徴とする請求項１から請求項４までのいずれか１項に記載の点灯制御回路。
【発明の詳細な説明】
【技術分野】
【０００１】
本発明は、発光ダイオード等の発光素子をマトリックス状に配列した発光表示器における発光素子の点灯制御回路に関する。
【背景技術】
【０００２】
複写機や複合機（プリンター、スキャナー、ファクシミリ等の機能を併せ持つ装置）では、発光表示器（インジケーター）や発光表示機能を持つボタンを配置した操作部を備えたものが多い。
一般に、こうした操作部では、複写機や複合機等における主たる制御装置から切り離された操作部基板上に、ＬＥＤ（Ｌight Ｅmitting Ｄiode：発光ダイオード）や、ＬＥＤを内蔵したスイッチ（押しボタンスイッチ等）を配置した構成となっている。
【０００３】
こうした制御装置と操作部基板との接続には、コネクターやフラットケーブルが使用されるが、信号線数を減らすため、操作部基板に複数のＬＥＤがマトリックス（行列）状に配置されたスキャンマトリックス回路を形成し、ＬＥＤの点灯を制御するものが多い。
この、スキャンマトリックス回路上に配置されたＬＥＤの点灯を制御する例を、図１４に示す。図１４では、３行×３列のマトリックス回路を構成しており、最大で９個のＬＥＤの点灯を制御することができる。
【０００４】
図１４（ａ）に示すように、ＬＥＤの点灯制御は、制御装置８０内に設けられた集積回路８１によって行う。集積回路８１が出力する行信号Ｒｏｗ１〜Ｒｏｗ３と列信号Ｃｏｌ１〜Ｃｏｌ３とは、ケーブル９５によって接続された操作部基板９０へ送られる。
なお、行信号Ｒｏｗ１〜Ｒｏｗ３はＭＰＸ（マルチプレクサー：切り替え器）８２を介して出力されるものであり、行信号Ｒｏｗ１〜Ｒｏｗ３の内の１本だけが選択的に“Ｈ（ハイレベル）”になり、他の２本は“Ｌ（ローレベル）”である。
【０００５】
これら行信号Ｒｏｗ１〜Ｒｏｗ３は、各々トランジスター（バッファー）９３-10、９３-20、９３-30を介してマトリックス回路に供給され、列信号Ｃｏｌ１〜Ｃｏｌ３は、各々トランジスター９３-11、９３-12、９３-13を介してマトリックス回路に供給される。
このマトリックス回路では、例えば行信号Ｒｏｗ１にはＬＥＤ９２-11のアノードが接続され、行信号Ｒｏｗ２にはＬＥＤ９２-21のアノードが接続され、行信号Ｒｏｗ３にはＬＥＤ９２-31のアノードが接続される。ＬＥＤ９２-11、ＬＥＤ９２-21、ＬＥＤ９２-31の各カソードは、１本に接続されるとともに、定電流回路（もしくは電流制限回路）９４-11を介してトランジスター９３-11に接続される。
【０００６】
行信号Ｒｏｗ１には、ＬＥＤ９２-11のアノードに加えてＬＥＤ９２-12のアノードとＬＥＤ９２-13のアノードとが接続され、ＬＥＤ９２-12のカソードは定電流回路９４-12を介してトランジスター９３-12に接続され、ＬＥＤ９２-13のカソードは定電流回路９４-13を介してトランジスター９３-13に接続される。
行信号Ｒｏｗ２も同様にして、ＬＥＤ９２-22のアノードとＬＥＤ９２-23のアノードが接続され、ＬＥＤ９２-22のカソードは定電流回路９４-12を介してトランジスター９３-12に接続され、ＬＥＤ９２-23のカソードは定電流回路９４-13を介してトランジスター９３-13に接続される構成になっている。
更に、行信号Ｒｏｗ３も同様にして、ＬＥＤ９２-22のアノードとＬＥＤ９２-23のアノードも接続され、ＬＥＤ９２-22のカソードは定電流回路９４-12を介してトランジスター９３-12に接続され、ＬＥＤ９２-23のカソードは定電流回路９４-13を介してトランジスター９３-13に接続される構成になっている。
【０００７】
図１４（ａ）における各行信号、列信号ならびに各ＬＥＤの点灯状態のタイミングチャートを図１４（ｂ）に示す。
図１４（ａ）に示す構成では、行信号Ｒｏｗ１〜Ｒｏｗ３は時間ｔ毎に順次状態が切り替わる（時間３ｔ周期でスキャンされる）一方、列信号Ｃｏｌ１〜Ｃｏｌ３は、各々任意に状態を変化させることができる。
即ち、ＬＥＤ９２-11〜ＬＥＤ９２-13、ＬＥＤ９２-21〜ＬＥＤ９２-23、ＬＥＤ９２-31〜ＬＥＤ９２-33の各々は、アノード側の行信号Ｒｏｗ１〜Ｒｏｗ３の何れかとカソード側の列信号Ｃｏｌ１〜Ｃｏｌ３の何れかの両方が“Ｈ”となった時に点灯する。なお図１４（ｂ）では、点灯するＬＥＤ（９２-11〜９２-33）の符号を、楕円枠で囲んで示している。
【０００８】
図１４（ａ）に示す構成は、言うまでもなくＬＥＤ９２-11〜９２-33を情報表示のための光源としている。このＬＥＤは、消費電力が小さく（即ち発熱も少なく）長寿命である他、点滅制御の際の反応が早いため、急速に応用事例が増加している。
ただしＬＥＤは、光源としては従来のフィラメント電球とは異なる特徴や問題点を有している。こうしたＬＥＤの問題点を解決するものとして、特許文献１や特許文献２に示されるものがある。
【先行技術文献】
【特許文献】
【０００９】
【特許文献１】特開２０１１−１２４１９５号公報
【特許文献２】特開２００５−２４３３９６号公報
【発明の概要】
【発明が解決しようとする課題】
【００１０】
ＬＥＤを照明の光源として使用する場合、照度（明るさ）を増加させるために、複数のＬＥＤ素子を配置することが多い。特許文献１には、この様な場合にＬＥＤへの電源の負担を低減させたり、安全性を高める技術が示されている。
また、多くのＬＥＤは波長が単調（即ち、色調が単一）である上に、固体毎にそのばらつきも大きい。このため、波長の異なる複数のＬＥＤを同時に点灯させ、単体のＬＥＤでは得られない色調を実現させることが多い。特許文献２には、単数のＬＥＤでは得ることが難しい色調を、複数のＬＥＤによって簡単に得る方法が示されている。
【００１１】
しかしながら、このＬＥＤを情報表示のための光源として使用する場合や、照度や色調を委細に制御するような場合には、制御信号線の本数が増えてしまい、こうしたＬＥＤを光源として使用する機器の物理的設計の自由度が損なわれてしまうという問題があった。
また、基板間やユニット間で制御信号線を配線する構造を有した機器では、制御信号線の本数が増えると生産コストが上昇するだけでなく、故障の要因が増えたり、メンテナンス工数が増えるという問題があった。
【００１２】
本発明は、かかる点に鑑みてなされたものであり、その目的とするところは、信号線の本数を増やすことなく、点灯および消灯を制御し得る発光素子の個数を増やすことができる点灯制御回路を提供することにある。
【課題を解決するための手段】
【００１３】
本発明の点灯制御回路は、複数の第１の信号と複数の第２の信号とを出力する制御回路と、前記複数の第１の信号の各々が入力される複数の第１のプッシュプル回路と、前記複数の第２の信号の各々が入力される複数の第２のプッシュプル回路と、前記複数の第１のプッシュプル回路の出力の内の１つと前記複数の第２のプッシュプル回路の出力の内の１つとの間の各々に接続され得る複数の発光素子群とを具備し、前記第１の信号が第１の値であり且つ前記第２の信号が第２の値である場合には前記第１のプッシュプル回路から前記第２のプッシュプル回路の方向へ第１の電流が流れ、前記第２の信号が第１の値であり且つ前記第１の信号が第２の値である場合には前記第２のプッシュプル回路から前記第１のプッシュプル回路の方向へ第２の電流が流れ、前記複数の発光素子群の各々は、前記第１の電流でのみ点灯する第１の発光素子または前記第２の電流でのみ点灯する第２の発光素子あるいは並列に接続された前記第１の発光素子および前記第２の発光素子から成り、前記発光素子群と当該発光素子群と接続された前記第１のプッシュプル回路との間、又は前記発光素子群と当該発光素子群と接続された前記第２のプッシュプル回路との間には、当該発光素子群を流れる電流の向きに応じて電流の絶対値を異ならせる電流調整部が設けられたことを特徴とする。
また前記電流調整部は、前記第１の電流及び前記第２の電流が流れる方向に沿って並列に接続された整流素子と抵抗素子で構成されたことを特徴とする。
また、本発明の点灯制御回路は、複数の第１の信号と複数の第２の信号とを出力する制御回路と、前記複数の第１の信号の各々が入力される複数の第１のプッシュプル回路と、前記複数の第２の信号の各々が入力される複数の第２のプッシュプル回路と、前記複数の第１のプッシュプル回路の出力の内の１つと前記複数の第２のプッシュプル回路の出力の内の１つとの間の各々に接続され得る複数の発光素子群とを具備し、前記第１の信号が第１の値であり且つ前記第２の信号が第２の値である場合には前記第１のプッシュプル回路から前記第２のプッシュプル回路の方向へ第１の電流が流れ、前記第２の信号が第１の値であり且つ前記第１の信号が第２の値である場合には前記第２のプッシュプル回路から前記第１のプッシュプル回路の方向へ第２の電流が流れ、前記複数の発光素子群の各々は、前記第１の電流でのみ点灯する第１の発光素子または前記第２の電流でのみ点灯する第２の発光素子あるいは並列に接続された前記第１の発光素子および前記第２の発光素子から成り、前記複数の前記第１のプッシュプル回路の出力と前記複数の前記第２のプッシュプル回路の出力との間において、前記発光素子群が接続された部分と、単一の発光素子が接続された部分とが混在することを特徴とする。
また前記制御回路は、前記複数の第１の信号の内の１つのみを順次前記第１値とする第１の周期と、前記複数の第１の信号の内の１つのみを順次前記第２値とする第２の周期とを交互に繰り返すことを特徴とする。
さらに前記制御回路は、少なくとも前記複数の第１の信号の各々について、前記第１の電流および前記第２の電流の何れも流れない第３の値とし得ることを特徴とする。
【発明の効果】
【００１４】
本発明によれば、ＬＥＤをスキャンする選択信号を駆動する複数のプッシュプル回路の出力端とＬＥＤの点灯を制御する制御信号を駆動する複数のプッシュプル回路の出力端との交差点の各々に、互いのアノードとカソードとが対称となるよう２つのＬＥＤが並列になったＬＥＤ対が接続されたマトリックス回路を形成することで、ＬＥＤ対を構成する２つのＬＥＤの内、何れか１つのみが選択的に点灯し得る。これにより、選択信号の本数や制御信号線の本数を増やすことなく、点灯および消灯を制御し得るＬＥＤの個数を増やすことができるという効果を奏する。
【図面の簡単な説明】
【００１５】
【図１】本発明の第１の実施の形態に係る点灯制御回路の電気的構成ならびにＬＥＤ９ａ／ＬＥＤ９ｂを挟むドライバー８〜ドライバー７の組み合わせの詳細を示す図である。
【図２】本発明の第１の実施の形態におけるＬＥＤ９ａ／ＬＥＤ９ｂを挟むドライバー８〜ドライバー７の回路の動作の一例を説明する図である。
【図３】本発明の第１の実施の形態におけるＬＥＤ９ａ／ＬＥＤ９ｂを挟むドライバー８〜ドライバー７の回路の動作の一例を説明する図である。
【図４】本発明の第１の実施の形態におけるＬＥＤ９ａ／ＬＥＤ９ｂを挟むドライバー８〜ドライバー７の回路の動作の一例を説明する図である。
【図５】本発明の第１の実施の形態における選択信号ＳＥＬならびに制御信号ＣＮＴの状態とＬＥＤ９ａならびにＬＥＤ９ｂの点灯状態との関係を示す図（真理値表）である。
【図６】本発明の第１の実施の形態における操作部基板６（マトリックス回路１１）の構成ならびに各ＬＥＤの配列位置関係と便宜上の番号を説明する図である。
【図７】本発明の第１の実施の形態における選択信号ＳＥＬ１〜ＳＥＬ３ならびに制御信号ＣＮＴ１〜ＣＮＴ３の変化の様子の一例を示す図（タイミングチャート）である。
【図８】本発明の第２の実施の形態に係る点灯制御回路の電気的構成ならびにＬＥＤ９ａ／ＬＥＤ９ｂを挟むドライバー８〜ドライバー７の組み合わせの詳細を示す図である。
【図９】本発明の第２の実施の形態における選択信号ＳＥＬならびに制御信号ＣＮＴの状態とＬＥＤ９ａならびにＬＥＤ９ｂの点灯状態との関係を示す図（真理値表およびタイミングチャート）である。
【図１０】本発明に係るＬＥＤ９ａ／ＬＥＤ９ｂを挟むドライバー８〜ドライバー７の組み合わせの応用例を示す図である。
【図１１】本発明の別の実施の形態に係る点灯制御回路の電気的構成ならびにＬＥＤ９ａ／ＬＥＤ９ｂを挟むドライバー８〜ドライバー７の組み合わせの詳細を示す図である。
【図１２】本発明の別の実施の形態における操作部基板６ｂ（マトリックス回路１１ｂ）の構成ならびに各ＬＥＤの配列位置関係と便宜上の番号を説明する図である。
【図１３】本発明の別の実施における選択信号ＳＥＬ１〜ＳＥＬ３ならびに制御信号ＣＮＴ１〜ＣＮＴ３の変化の様子の一例を示す図（タイミングチャート）である。
【図１４】ＬＥＤを用いたスキャンマトリックス回路と信号の変化の様子の一例を示す図である。
【発明を実施するための形態】
【００１６】
次に、本発明の実施の形態を、図面を参照して具体的に説明する。なお、以下の各図において、同一構成要素には同一符号を付している。
［第１の実施の形態］
図１（ａ）は、本発明の第１の実施の形態に係る点灯制御回路の電気的構成を示す回路図である。
本実施の形態は、制御装置３と操作部基板６とがケーブル１０によって接続されて成り、制御装置３はＣＰＵ（Ｃentral Ｐrocessing Ｕnit：中央処理装置、制御回路）３１を有している。
【００１７】
ＣＰＵ３１には、電源として＋Ｖcc（ＧＮＤを基準として）が供給され、図示しない記憶装置等に記憶された制御プログラムによって動作する。
このＣＰＵ３１はＩ／Ｏ（Ｉnput／Ｏutput：入出力ポート）３２を備えており、複数のＬＥＤ（後述）をスキャンするための選択信号ＳＥＬ１〜ＳＥＬ３（以降、必要に応じて単にＳＥＬと称する）と、点灯するＬＥＤを制御する制御信号ＣＮＴ１〜ＣＮＴ３（以降、必要に応じて単にＣＮＴと称する）を出力する。
【００１８】
本実施の形態では、これら選択信号ＳＥＬならびに制御信号ＣＮＴは３ステート（３Ｓ、スリーステート：３値または３状態）ポートとなっており、“Ｈ”の時は＋Ｖｃｃの電圧に近付き“Ｌ”の時はＧＮＤの電圧に近付く（ＴＴＬやＣＭＯＳ等、回路の種類によって詳細な電圧値は異なる）他、“Ｚ”としてハイインピーダンス（もしくは絶縁）状態を持つ。
なお、Ｉ／Ｏ３２の選択信号ＳＥＬならびに制御信号ＣＮＴの出力側の抵抗Ｒaは、各信号出力端の出力インピーダンスやダンピング抵抗、保護抵抗等を総合したものであり、本発明においては特徴的な作用を示すものではないので、詳細な説明は省略する。
【００１９】
選択信号ＳＥＬ１は、操作部基板６に入力されると、ドライバー８-10の入力側に接続される。
ドライバー８-10はトーテムポール出力（トーテムポール接続）のドライバーであり、バイポーラトランジスターであるＮＰＮトランジスター８ａ-10と同ＰＮＰトランジスター８ｂ-10と（本実施の形態においてはコンプリメンタリ・ペアでなくても良い）によってＳＥＰＰ（Ｓingle-Ｅnded Ｐush-Ｐull：プッシュプル）回路が形成されている。
このドライバー８-10の入力側はＮＰＮトランジスター８ａ-10のＢ（ベース）端子とＰＮＰトランジスター８ｂ-10のＢ端子、同出力側はＮＰＮトランジスター８ａ-10のＥ（エミッター）端子とＰＮＰトランジスター８ｂ-10のＥ端子である。
選択信号ＳＥＬ２および選択信号ＳＥＬ３、制御信号ＣＮＴ１〜ＣＮＴ３も同様に、それぞれドライバー８-20およびドライバー８-30、ドライバー７-11〜ドライバー７-13の入力側に接続される。これらドライバー８-20およびドライバー８-30、ドライバー７-11〜ドライバー７-13の構成は、ドライバー８-10と対応したものなので、その説明は省略する。
【００２０】
なおこれ以降、必要に応じてこれらドライバー７-11、８-10・・・、ＮＰＮトランジスター７ａ-11、８ａ-10、ＰＮＰトランジスター７ｂ-11、８ｂ-10を、単にドライバー７、８、ＮＰＮトランジスター７ａ、８ａ、ＰＮＰトランジスター７ｂ、８ｂと称する。後述するＬＥＤ９ａ-11、９ａ-12・・・、ＬＥＤ９ｂ-11、９ｂ-12・・・、電流制限抵抗５-11・・・も同様に、必要に応じてそれぞれ単にＬＥＤ９ａ、ＬＥＤ９ｂ、電流制限抵抗５と称する。
また、ＮＰＮトランジスター７ａ、８ａおよびＰＮＰトランジスター８ａ、８ｂの構成ならびにこれらの端子であるＣ（コレクター）端子、Ｂ端子、Ｅ端子の働き、各種パラメータの詳細等については、既知の一般的事項であるので、その説明は省略する。
【００２１】
ドライバー８-10〜８-30の出力側とドライバー７-11〜７-13の出力側との間はマトリックス回路となっているが、代表してＬＥＤ９ａ-11ならびにＬＥＤ９ｂ-11を挟むドライバー８-10〜ドライバー７-11の組み合わせを図１（ｂ）に示して説明する。
なお、一般にドライバー７あるいはドライバー８のような回路では、ＮＰＮトランジスター７ａ、８ａおよびＰＮＰトランジスター７ｂ、８ｂのスイッチング速度の低下を防ぐ等の目的で、入力側（Ｂ端子側）にバイアス抵抗が接続されたり、接続される素子の内部抵抗分の影響を受けることがあるが、本実施の形態では、こういった抵抗Ｒbの影響は考慮しなくても良いものとする。
【００２２】
ドライバー８-10の出力側であるＮＰＮトランジスター８ａ-10のＥ端子ならびにＰＮＰトランジスター８ｂ-10のＥ端子と、ドライバー７-11の出力側であるＮＰＮトランジスター７ａ-11のＥ端子ならびにＰＮＰトランジスター７ｂ-11のＥ端子との間には、ＬＥＤ９ａ-11およびＬＥＤ９ｂ-11から成るＬＥＤ対９と、電流制限抵抗５-11とが直列に接続されている。
このＬＥＤ対９は、互いにＡ（アノード）端子とＫ（カソード）端子とが逆方向となるよう、ＬＥＤ９ａ-11とＬＥＤ９ｂ-11とが並列に接続されている。即ち、ＬＥＤ９ａ-11とＬＥＤ９ｂ-11とでは、流れる電流の向きが互いに逆方向となっている。
【００２３】
これにより、ドライバー８-10の出力側の電位とドライバー７-11の出力側の電位との関係によって、ＬＥＤ９ａ-11あるいはＬＥＤ９ｂ-11の何れか一方のみが点灯するか、もしくはこの両方とも点灯しないことになる（両方が同時に点灯することもない）。
例えば、抵抗Ｒb等の影響がないものとすれば、図２（ａ）のように選択信号ＳＥＬや制御信号ＣＮＴがオープン（即ち“Ｚ”）である場合、ＮＰＮトランジスター７ａ、８ａおよびＰＮＰトランジスター７ｂ、８ｂはオフであるので、ＬＥＤ９ａおよびＬＥＤ９ｂには電流が流れず、どちらも点灯しない。
また、図２（ａ）の状態から図２（ｂ）のように制御信号ＣＮＴが“Ｈ”になっても、ＮＰＮトランジスター７ａならびにＰＮＰトランジスター７ｂにはベース電流は流れ得ず、オフのままである。従って、ＬＥＤ９ａおよびＬＥＤ９ｂには電流（ＩFa、ＩFb）が流れず、どちらも点灯しない。
同様に、図２（ａ）の状態から図２（ｃ）のように制御信号ＣＮＴが“Ｌ”になっても、ＮＰＮトランジスター７ａならびにＰＮＰトランジスター７ｂにはベース電流は流れ得ず、オフのままである。従って、やはりＬＥＤ９ａおよびＬＥＤ９ｂには電流（ＩFa、ＩFb）が流れず、どちらも点灯しない。
【００２４】
一方、ＬＥＤ９ａおよびＬＥＤ９ｂを挟むドライバー８〜ドライバー７の回路に関して、図３の各図では選択信号ＳＥＬが“Ｈ”である場合を示している。
図３（ａ）では、選択信号ＳＥＬは“Ｈ”であるが、制御信号ＣＮＴはオープンである。この場合、ＮＰＮトランジスター７ａおよびＰＮＰトランジスター７ｂはオフであるので、ＮＰＮトランジスター８ａならびにＰＮＰトランジスター８ｂにはベース電流は流れ得ず、オフのままである。従って、ＬＥＤ９ａおよびＬＥＤ９ｂには電流（ＩFa、ＩFb）が流れず、どちらも点灯しない。
【００２５】
図３（ａ）の状態から図３（ｂ）のように制御信号ＣＮＴが“Ｈ”になった場合、ドライバー８とドライバー７がほぼ同電位となり、ＮＰＮトランジスター７ａ、８ａおよびＰＮＰトランジスター７ｂ、８ｂの何れにもベース電流は流れ得ず、オフのままである。従って、ＬＥＤ９ａおよびＬＥＤ９ｂには電流（ＩFa、ＩFb）が流れず、どちらも点灯しない。
【００２６】
図３（ｃ）では、図３（ｂ）の状態から制御信号ＣＮＴが“Ｌ”となっている。このような場合について、詳細に説明する。なお図３（ｃ）においては、能動的な動作をしていない素子は表示していない。また、電圧値はＧＮＤを基準とした極性で示す。
図３（ｃ）では選択信号ＳＥＬが“Ｈ”であるので、その電圧ＶSELはＶccに近い、高い値となっている。ＮＰＮトランジスター８ａはコレクター接地回路であるので、ドライバー８の出力側（即ちＮＰＮトランジスター８ａのＥ端子）の電圧は、（ＶSEL−ＶBE8a）まで上昇し得る。このＶBE8aはＮＰＮトランジスター８ａのベース−エミッター間電圧であり、一般には０．６Ｖ〜０．７Ｖである。なお、ＶCE8aはＮＰＮトランジスター８ａのコレクター−エミッター間電圧であり、この電位差はＮＰＮトランジスター８ａのコレクター−エミッター間飽和電圧ＶCE(sat)まで縮小し得る。
また、図３（ｃ）では制御信号ＣＮＴが“Ｌ”であるので、その電圧ＶCNTはＧＮＤ（即ち０Ｖ）に近い、低い値となっている。ＰＮＰトランジスター７ｂはコレクター接地回路であるので、ドライバー７の出力側（即ちＰＮＰトランジスター７ｂのＥ端子）の電圧は、（ＶCNT＋ＶBE7b）まで下降し得る。このＶBE7bはＰＮＰトランジスター７ｂのベース−エミッター間電圧であり、一般には０．６Ｖ〜０．７Ｖ（Ｅ端子の電位を基準とすると、−０．７Ｖ〜−０．６Ｖ）である。なお、ＶCE7bはＰＮＰトランジスター７ｂのコレクター−エミッター間電圧であり、この電位差はＰＮＰトランジスター７ｂのコレクター−エミッター間飽和電圧ＶCE(sat)まで縮小し得る。
ここで、ＰＮＰトランジスター７ｂのＥ端子からＮＰＮトランジスター８ａのＥ端子まで生じる方向の電位差がＬＥＤ９ａの順方向電圧ＶF（２〜４Ｖ）を超えると、ＬＥＤ９ａに順方向の電流ＩFaが流れ、電流制限抵抗５による電圧降下をＶRiとすると、ＶCE8a＋ＶF＋ＶRi＋ＶCE7b＝Ｖccに収束する。即ち、こうしてＬＥＤ９ａに電流ＩFaが流れた時点でＬＥＤ９ａが点灯する。
【００２７】
他方で、ＬＥＤ９ａおよびＬＥＤ９ｂを挟むドライバー８〜ドライバー７の回路に関して、図４の各図では選択信号ＳＥＬが“Ｌ”である場合を示している。
図４（ａ）では、選択信号ＳＥＬは“Ｌ”であるが、制御信号ＣＮＴはオープンである。従って作用は図３（ａ）と同様で、ＬＥＤ９ａおよびＬＥＤ９ｂには電流（ＩFa、ＩFb）が流れず、どちらも点灯しない。
【００２８】
図４（ａ）の状態から図４（ｂ）のように制御信号ＣＮＴが“Ｌ”になった場合、ドライバー８とドライバー７がほぼ同電位となり、ＮＰＮトランジスター７ａ、８ａおよびＰＮＰトランジスター７ｂ、８ｂの何れにもベース電流は流れ得ず、オフのままである。従って、ＬＥＤ９ａおよびＬＥＤ９ｂには電流（ＩFa、ＩFb）が流れず、どちらも点灯しない。
【００２９】
図４（ｃ）では、図４（ｂ）の状態から制御信号ＣＮＴが“Ｈ”となっている。この図４（ｃ）は、ドライバー７〜ドライバー８の関係が図３（ｃ）に示すものと対称になっているので詳細な説明は省略するが、ＰＮＰトランジスター８ｂのＥ端子からＮＰＮトランジスター７ａのＥ端子まで生じる方向の電位差がＬＥＤ９ｂの順方向電圧ＶF（２〜４Ｖ）を超えると、ＬＥＤ９ｂに順方向の電流ＩFbが流れ、電流制限抵抗５による電圧降下をＶRiとすると、ＶCE7a＋ＶF＋ＶRi＋ＶCE8b＝Ｖccに収束する。即ち、こうしてＬＥＤ９ｂに電流ＩFbが流れた時点でＬＥＤ９ｂが点灯する。
こうした選択信号ＳＥＬならびに制御信号ＣＮＴの状態とＬＥＤ９ａならびにＬＥＤ９ｂの点灯状態との関係を、図５に示す。図５では、楕円枠に“１”と表示している部分はＬＥＤ９ａあるいはＬＥＤ９ｂが点灯であり、白抜きの“０”の表示の部分はＬＥＤ９ａあるいはＬＥＤ９ｂが消灯であることを意味している。
【００３０】
このようなドライバー８-10〜８-30あるいはドライバー７-11〜７-13を介した、選択信号ＳＥＬ１〜ＳＥＬ３と制御信号ＣＮＴ１〜ＣＮＴ３とによるマトリックス回路１１を有する操作部基板６の詳細な構成を、図６に示す。
図６には、各ＬＥＤ９ａ-11、９ａ-12・・・、ＬＥＤ９ｂ-11、９ｂ-12・・・のマトリックス回路１１上における配列位置関係と、便宜上それぞれに付された番号を示している。
即ち、ＬＥＤ９ａ-11は選択信号ＳＥＬ１と制御信号ＣＮＴ１との間に接続され、その番号は［１］であることを示し、ＬＥＤ９ａ-21は選択信号ＳＥＬ２と制御信号ＣＮＴ１との間に接続され、その番号は［２］であることを示している。
さらに、ＬＥＤ９ｂ-11は選択信号ＳＥＬ１と制御信号ＣＮＴ１との間に接続され、その番号は［１０］・・・、ＬＥＤ９ｂ-23は選択信号ＳＥＬ２と制御信号ＣＮＴ３との間に接続され、その番号は［１７］、ＬＥＤ９ｂ-33は選択信号ＳＥＬ３と制御信号ＣＮＴ３との間に接続され、その番号は［１８］であることを示している。
【００３１】
ここで、選択信号ＳＥＬ１〜ＳＥＬ３ならびに制御信号ＣＮＴ１〜ＣＮＴ３の変化の様子の一例を、図７に示す。本実施の形態では、ＣＰＵ３１は選択信号ＳＥＬ１〜ＳＥＬ３の内の１本だけを選択的に“Ｈ”または“Ｌ”にするとともに、この１本以外は“Ｚ”とするスキャン動作を行う。
またスキャン動作と同時に、各ＬＥＤ９ａおよびＬＥＤ９ｂの内、点灯させる各ＬＥＤ９ａあるいはＬＥＤ９ｂに対応する制御信号ＣＮＴ１〜ＣＮＴ３の状態を変更する。
【００３２】
なお、このようなスキャン動作を時間ｔ毎に行うが、選択信号ＳＥＬ１〜ＳＥＬ３のそれぞれについて“Ｈ”とする期間と“Ｌ”とする期間とを設ける。このため、時間６ｔを１周期としてスキャン動作を繰り返すことになる。
この時間ｔの値は、ＬＥＤ９ａおよびＬＥＤ９ｂの残光特性にもよるが、本実施の形態のように時間６ｔを１周期としてスキャンする場合、一例として数ミリ秒という値（時間６ｔの１周期が数十Ｈｚ、更に具体的には時間６ｔの１周期が５０〜１００Ｈｚ程度となるような値）に決められる。
【００３３】
図７では、ＣＰＵ３１は時刻ｔ1-0で選択信号ＳＥＬ１を“Ｈ”にするとともに選択信号ＳＥＬ２ならびに選択信号ＳＥＬ３を“Ｚ”にする。またこの時、制御信号ＣＮＴ１と制御信号ＣＮＴ２を“Ｌ”にするとともに制御信号ＣＮＴ３を“Ｚ”にしている。
これにより、図６に示した便宜上の番号［１］のＬＥＤ９ａ-11と番号［４］のＬＥＤ９ａ-12が点灯し、これら以外のＬＥＤ９ａあるいはＬＥＤ９ｂは点灯しない（ここまで点灯していたものは消灯する）。
【００３４】
次に時刻ｔ1-1（図７参照）でＣＰＵ３１は、選択信号ＳＥＬ１は“Ｈ”から“Ｚ”にするとともに選択信号ＳＥＬ２を“Ｚ”から“Ｈ”にする。なお、選択信号ＳＥＬ３は“Ｚ”のままである。
またこの時刻ｔ1-1では、制御信号ＣＮＴ１を“Ｌ”に（“Ｌ”のままに）するとともに制御信号ＣＮＴ２と制御信号ＣＮＴ３を“Ｚ”に（制御信号ＣＮＴ３は“Ｚ”のままに）している。これにより、図６に示した番号［２］のＬＥＤ９ａ-21が点灯し、これ以外のＬＥＤ９ａあるいはＬＥＤ９ｂは点灯しない（ここまで点灯していたものは消灯する）。
【００３５】
時刻ｔ1-2では、選択信号ＳＥＬ１ならびに選択信号ＳＥＬ２は“Ｚ”に、選択信号ＳＥＬ３は“Ｈ”にする。また、制御信号ＣＮＴ１と制御信号３を“Ｌ”に、制御信号ＣＮＴ２を“Ｚ”にしている。
これにより、番号［３］のＬＥＤ９ａ-31と番号［９］のＬＥＤ９ａ-33が点灯し、これら以外のＬＥＤ９ａあるいはＬＥＤ９ｂは消灯する。
【００３６】
次の時刻ｔ1-3（図７参照）でＣＰＵ３１は、選択信号ＳＥＬ１を“Ｌ”にするとともに選択信号ＳＥＬ２ならびに選択信号ＳＥＬ３を“Ｚ”にする。
またこの時刻ｔ1-3でＣＰＵ３１は、制御信号ＣＮＴ１を“Ｚ”にするとともに制御信号ＣＮＴ２と制御信号ＣＮＴ３を“Ｈ”にしている。これにより、図６に示した番号［１３］のＬＥＤ９ｂ-12と番号［１６］のＬＥＤ９ｂ-13が点灯し、これら以外のＬＥＤ９ａあるいはＬＥＤ９ｂは点灯しない（ここまで点灯していたものは消灯する）。
【００３７】
時刻ｔ1-4では、選択信号ＳＥＬ１は“Ｌ”から“Ｚ”にするとともに選択信号ＳＥＬ２を“Ｚ”から“Ｌ”にする。なお、選択信号ＳＥＬ３は“Ｚ”のままである。
またこの時刻ｔ1-4では、制御信号ＣＮＴ１は引き続き“Ｚ”のままにするとともに制御信号ＣＮＴ２と制御信号ＣＮＴ３も引き続き“Ｈ”のままにしている。ここでは、図３に示した番号［１４］のＬＥＤ９ｂ-22と番号［１７］のＬＥＤ９ｂ-23が点灯し、これら以外のＬＥＤ９ａあるいはＬＥＤ９ｂは点灯しない（ここまで点灯していたものは消灯する）。
【００３８】
時刻ｔ1-5では、選択信号ＳＥＬ２は“Ｌ”から“Ｚ”にするとともに選択信号ＳＥＬ３を“Ｚ”から“Ｌ”にする。なお、選択信号ＳＥＬ１は“Ｚ”のままである。
またこの時刻ｔ1-5では、制御信号ＣＮＴ１は“Ｚ”から“Ｌ”にするとともに制御信号ＣＮＴ２と制御信号ＣＮＴ３は引き続き“Ｈ”のままにしている。ここでは、図３に示した番号［１２］のＬＥＤ９ｂ-31と番号［１５］のＬＥＤ９ｂ-32と番号［１８］のＬＥＤ９ｂ-33が点灯し、これら以外のＬＥＤ９ａあるいはＬＥＤ９ｂは点灯しない（ここまで点灯していたものは消灯する）。
【００３９】
次いで、時刻ｔ2-0〜時刻ｔ2-5でＣＰＵ３１は、時刻ｔ1-0〜時刻ｔ1-5と同様に時間ｔ毎に、まず選択信号ＳＥＬ１〜選択信号ＳＥＬ３の内の１本だけを順次“Ｈ”にし、この後に選択信号ＳＥＬ１〜選択信号ＳＥＬ３の内の１本だけを順次“Ｌ”にする。
なお、時刻ｔ2-0〜時刻ｔ2-5では制御信号ＣＮＴ１〜制御信号ＣＮＴ３も時刻ｔ1-0〜時刻ｔ1-5と同一のパターンで変化させたものとし、図示ならびに説明は省略する。
このように、選択信号ＳＥＬ１〜選択信号ＳＥＬ３および制御信号ＣＮＴ１〜制御信号ＣＮＴ３の変化を、図７の時刻ｔ1-0〜時刻ｔ1-5のようなパターンで繰り返すことによって、図６に示す番号［１］〜番号［４］、番号［９］、番号［１２］〜番号［１８］のＬＥＤ９ａあるいはＬＥＤ９ｂが点灯しているように見える。
【００４０】
次の時刻ｔ3-0〜時刻ｔ3-5でＣＰＵ３１は、選択信号ＳＥＬ１〜選択信号ＳＥＬ３については時刻ｔ1-0〜時刻ｔ1-5と同一のパターンで変化させるので、その説明は省略するが、制御信号ＣＮＴ１〜制御信号ＣＮＴ３については、次のようになる。
時刻ｔ3-0（図７参照）でＣＰＵ３１は、制御信号ＣＮＴ１〜制御信号ＣＮＴ３の何れも“Ｚ”にしている。これにより、ＬＥＤ９ａおよびＬＥＤ９ｂは全て消灯する。次の時刻ｔ3-1も、同様である。
【００４１】
時刻ｔ3-2では、制御信号ＣＮＴ１と制御信号ＣＮＴ３を“Ｌ”にし、制御信号ＣＮＴ２は“Ｚ”のままである。
これにより、番号［３］のＬＥＤ９ａ-31と番号［９］のＬＥＤ９ａ-33が点灯し、これら以外のＬＥＤ９ａあるいはＬＥＤ９ｂは消灯したままである。
【００４２】
次の時刻ｔ3-3でＣＰＵ３１は、制御信号ＣＮＴ１と制御信号ＣＮＴ３を“Ｈ”にし、制御信号ＣＮＴ２は“Ｚ”のままである。
これにより、図６に示した番号［１０］のＬＥＤ９ｂ-11と番号［１６］のＬＥＤ９ｂ-13が点灯し、これら以外のＬＥＤ９ａあるいはＬＥＤ９ｂは消灯したままである。
【００４３】
時刻ｔ3-4では、制御信号ＣＮＴ１と制御信号ＣＮＴ３は“Ｈ”のまま、制御信号ＣＮＴ２は“Ｚ”のままであるが、選択信号ＳＥＬ１が“Ｌ”から“Ｚ”に切り替わり、選択信号ＳＥＬ２が“Ｚ”から“Ｌ”に切り替わったため、番号［１１］のＬＥＤ９ｂ-21と番号［１７］のＬＥＤ９ｂ-23が点灯し、これら以外のＬＥＤ９ａあるいはＬＥＤ９ｂは消灯となる。
【００４４】
時刻ｔ3-5でも、制御信号ＣＮＴ１〜制御信号ＣＮＴ３はそのままであるが、選択信号ＳＥＬ２が“Ｌ”から“Ｚ”に切り替わり、選択信号ＳＥＬ３が“Ｚ”から“Ｌ”に切り替わったため、番号［１２］のＬＥＤ９ｂ-31と番号［１８］のＬＥＤ９ｂ-33が点灯し、これら以外のＬＥＤ９ａあるいはＬＥＤ９ｂは消灯となる。
【００４５】
このように、選択信号ＳＥＬ１〜選択信号ＳＥＬ３および制御信号ＣＮＴ１〜制御信号ＣＮＴ３の変化を、図７の時刻ｔ3-0〜時刻ｔ3-5のようなパターンで繰り返すことによって、図６に示す番号［３］、番号［９］〜番号［１２］、番号［１６］〜番号［１８］のＬＥＤ９ａあるいはＬＥＤ９ｂが点灯しているように見える。
【００４６】
また、時刻ｔ1-0〜時刻ｔ1-5のようなパターンを繰り返していたものを時刻ｔ3-0〜時刻ｔ3-5のようなパターンの繰り返しへの切り替え時には、番号［１］、番号［２］、番号［４］、番号［１３］〜番号［１５］が消灯し、新たに番号［１０］、番号［１１］が点灯したように見える。
【００４７】
上述の通り、本実施の形態は選択信号３本と制御信号３本（３×３）のスキャンマトリックス回路であるので、従来であれば点灯および消灯を制御し得るＬＥＤの個数は３×３＝９個である。本発明では、従来の２倍である１８個までのＬＥＤの点灯・消灯を制御可能になる（従来であれば、３本＋６本＝９本または４本＋５本＝９本の信号線が必要になる）。
【００４８】
ところで図５を参照すると、選択信号ＳＥＬあるいは制御信号ＣＮＴの何れかが“Ｚ”である場合以外にも、ＬＥＤ９ａおよびＬＥＤ９ｂの何れも消灯となる選択信号ＳＥＬと制御信号ＣＮＴの組み合わせが存在する。
これは、選択信号ＳＥＬあるいは制御信号ＣＮＴの内の一方が“Ｈ”および“Ｌ”の２値のみを示すポートの出力であっても、本発明ではＬＥＤ９ａおよびＬＥＤ９ｂの点灯と消灯を個別に制御することが可能であることを意味している。この点を考慮して、以下に第２の実施の形態について説明する。
【００４９】
［第２の実施の形態］
本発明の第２の実施の形態に係る電気的構成を図８（ａ）に、図８（ａ）におけるＬＥＤ９ａ／ＬＥＤ９ｂを挟むドライバー８〜ドライバー７の組み合わせの一例について、その詳細を図８（ｂ）に示す。この第２の実施の形態は、制御装置３ａと操作部基板６ａとがケーブル１０によって接続されて成り、制御装置３ａはＣＰＵ３１ａを有している。
【００５０】
ＣＰＵ３１ａには、電源として＋Ｖcc（ＧＮＤを基準として）が供給され、図示しない記憶装置等に記憶された制御プログラムによって動作する。
このＣＰＵ３１ａはＩ／Ｏ３２ａを備えており、複数のＬＥＤ９ａ・・・、９ｂ・・・をスキャンするための複数の選択信号ＳＥＬ（ＳＥＬ１〜ＳＥＬ３）と、点灯するＬＥＤを制御する複数の制御信号ＣＮＴ１ａ〜ＣＮＴ３ａ（以降、必要に応じて単にＣＮＴａと称する）を出力する。
【００５１】
この第２の実施の形態では、選択信号ＳＥＬは３ステートポートとなっているが、制御信号ＣＮＴａは“Ｈ”と“Ｌ”のみを示し得る２値のポートである。即ち、選択信号ＳＥＬあるいは制御信号ＣＮＴａの一方は、従来のスキャンマトリックス回路のポートや信号線を使用することが可能である。
なお、図８（ａ）に示す構成では制御信号ＣＮＴａはオープンコレクターポート（出力段が電界効果トランジスターの場合はオープンドレインポート）となっているため、操作部基板６ａを構成するドライバー７の入力側には、プルアップのために抵抗Ｒbが必須となっている。
【００５２】
図８（ａ）および図８（ｂ）においては、制御信号ＣＮＴａの他、一部の構成要件は図１（ａ）あるいは図１（ｂ）に示すものと同様であるので、第２の実施の形態の特徴部分以外の構成要件については、その説明は省略する。
また、本実施の形態におけるマトリックス回路上における各ＬＥＤ９ａ-11、９ａ-12・・・、ＬＥＤ９ｂ-11、９ｂ-12・・・の位置関係と、それぞれに付される便宜上の番号は、図６に示す操作部基板６の全体構成と同一であるので、操作部基板６ａについては全体構成の図示ならびに詳細な説明は省略する。
【００５３】
本実施の形態における選択信号ＳＥＬならびに制御信号ＣＮＴａとＬＥＤ９ａならびにＬＥＤ９ｂの点灯状態との関係を、図９（ａ）に示す。図９（ａ）においても、楕円枠に“１”と表示している部分はＬＥＤ９ａあるいはＬＥＤ９ｂが点灯であり、白抜きの“０”の表示の部分はＬＥＤ９ａあるいはＬＥＤ９ｂが消灯であることを意味している。
【００５４】
また、選択信号ＳＥＬ１〜ＳＥＬ３ならびに制御信号ＣＮＴ１ａ〜ＣＮＴ３ａの変化の様子の一例を、図９（ｂ）に示す。
本実施の形態においても、ＣＰＵ３１ａが選択信号ＳＥＬ１〜ＳＥＬ３の内の１本だけを選択的に“Ｈ”または“Ｌ”にするスキャン動作を時間ｔ毎に行うとともに、各ＬＥＤ９ａおよびＬＥＤ９ｂの内、点灯させる各ＬＥＤ９ａあるいはＬＥＤ９ｂに対応する制御信号ＣＮＴ１ａ〜ＣＮＴ３ａの状態を変更する。
【００５５】
なお、図９（ｂ）における、各制御信号ＣＮＴ１ａ〜ＣＮＴ３ａの欄には、各時間ｔの間に、その制御信号ＣＮＴａによる制御の対象となるＬＥＤの便宜上の番号（図６参照）が示されている。また、点灯するＬＥＤの番号は楕円枠とし、消灯するＬＥＤの番号は白抜き文字としている。
【００５６】
例えば図９（ｂ）では、ＣＰＵ３１ａは時刻ｔ1-0で選択信号ＳＥＬ１を“Ｈ”にするとともに選択信号ＳＥＬ２ならびに選択信号ＳＥＬ３を“Ｚ”にする。
図６を参照すると、選択信号ＳＥＬ１が“Ｈ”または“Ｌ”の時、例えば制御信号ＣＮＴ１ａでは番号［１］のＬＥＤ９ａと番号［１０］のＬＥＤ９ｂが制御の対象（上段がＬＥＤ９ａの番号、下段がＬＥＤ９ｂの番号となる）となり、その制御信号ＣＮＴ１ａを“Ｌ”としている。
ここで図９（ａ）を参照すると、ＳＥＬ：ＨとＣＮＴａ：Ｌの組み合わせでは、ＬＥＤ９ａが点灯しＬＥＤ９ｂが消灯することを示している。従って時刻ｔ1-0では、番号［１］のＬＥＤ９ａ-11が点灯し、番号［１０］のＬＥＤ９ｂ-11が消灯とすることになる。
【００５７】
時刻ｔ1-1では、選択信号ＳＥＬ２が“Ｈ”になるとともに選択信号ＳＥＬ１ならびに選択信号ＳＥＬ３は“Ｚ”になる。図６を参照すると、選択信号ＳＥＬ２が“Ｈ”または“Ｌ”の時、例えば制御信号ＣＮＴ２ａでは番号［５］のＬＥＤ９ａと番号［１４］のＬＥＤ９ｂが制御の対象となり、その制御信号ＣＮＴ２ａを“Ｈ”としている。
ここで図９（ａ）を参照すると、ＳＥＬ：ＨとＣＮＴａ：Ｈの組み合わせでは、ＬＥＤ９ａならびにＬＥＤ９ｂの両方が消灯することを示している。従って時刻ｔ1-1では、番号［５］のＬＥＤ９ａ-22も番号［１４］のＬＥＤ９ｂ-22も消灯することになる。
【００５８】
さらに時間が進んで時刻ｔ1-5では、選択信号ＳＥＬ３が“Ｌ”になるとともに選択信号ＳＥＬ１ならびに選択信号ＳＥＬ２は“Ｚ”になる。図６を参照すると、選択信号ＳＥＬ３が“Ｈ”または“Ｌ”の時、例えば制御信号ＣＮＴ３ａでは番号［９］のＬＥＤ９ａと番号［１８］のＬＥＤ９ｂが制御の対象となり、その制御信号ＣＮＴ３ａを“Ｈ”としている。
ここで図９（ａ）を参照すると、ＳＥＬ：ＬとＣＮＴａ：Ｈの組み合わせでは、ＬＥＤ９ａが消灯しＬＥＤ９ｂが点灯することを示している。従って時刻ｔ1-5では、番号［９］のＬＥＤ９ａ-33が消灯し、番号［１８］のＬＥＤ９ｂ-33が点灯とすることになる。
【００５９】
この第２の実施の形態では、複数の選択信号ＳＥＬの内、１本だけを選択的に“Ｚ”から“Ｈ”または“Ｌ”として制御対象の選択信号ＳＥＬとする。この時、一方の端子が制御対象の選択信号ＳＥＬに接続されたＬＥＤ（即ち、制御の対象となったＬＥＤ）の点灯状態が、図９（ａ）の真理値表と合致するように、このＬＥＤの他方の端子に接続される制御信号ＣＮＴａの状態を（“Ｈ”または“Ｌ”の何れかに）変更する。
これにより、制御信号ＣＮＴａが“Ｈ”または“Ｌ”の２値のみを示し得る回路構成であっても、本発明は成立する。
【００６０】
以上説明したように本発明の各実施の形態によれば、ＬＥＤをスキャンする選択信号を駆動する複数のプッシュプル回路の出力端とＬＥＤの点灯を制御する制御信号を駆動する複数のプッシュプル回路の出力端との交差点の各々に、互いのアノードとカソードとが接続され流れる電流の向きが互いに逆方向となるように２つのＬＥＤが並列に接続されたＬＥＤ対でマトリックス回路を形成することで、ＬＥＤ対を構成する２つのＬＥＤの内、何れか１つのみが選択的に点灯し得る。これにより、選択信号の本数や制御信号線の本数を増やすことなく、点灯および消灯を制御し得るＬＥＤの個数を増やすことができる。
【００６１】
なお、本発明が上記各実施の形態に限定されず、本発明の技術思想の範囲内において、各実施の形態は適宜変更され得ることは明らかである。
例えば、上述の各実施の形態において、ＬＥＤを駆動するドライバーとして、バイポーラトランジスターによってプッシュプル回路を形成しているが、例えばＦＥＴ（Ｆield Ｅffect Ｔransistor：電界効果トランジスター）によってプッシュプル回路を形成するものであってもよい。
【００６２】
またＬＥＤは、発光する色調によって、十分な明るさを得るために必要な電流値が大きく異なる場合も多い。本発明では、互いにＡ端子とＫ端子とが対称となるように異なる色調のＬＥＤを並列に接続することもできるが、その場合には色調によって電流を換える必要もある。
そこで、ＬＥＤ９ａならびにＬＥＤ９ｂを挟むドライバー８〜ドライバー７の組み合わせを、図１０に示す構成とすることもできる。
【００６３】
図１０に示す構成では、ドライバー８の出力側であるＮＰＮトランジスター８ａのＥ端子ならびにＰＮＰトランジスター８ｂのＥ端子と、ドライバー７の出力側であるＮＰＮトランジスター７ａのＥ端子ならびにＰＮＰトランジスター７ｂのＥ端子との間には、ＬＥＤ９ｇおよびＬＥＤ９ｒから成るＬＥＤ対９ｄと、電流制限抵抗５と、並列に接続されたダイオード１２ｇおよび電流制限抵抗１２ｒの対とが、直列に接続されている。
このＬＥＤ対９ｄは、互いにＡ端子とＫ端子とが接続され、ＬＥＤ９ｇとＬＥＤ９ｒとで流れる電流の向きが互いに逆方向となるように並列に接続されている。またダイオード１２ｇは、電流の順方向がＬＥＤ９ｇの順方向と同一（即ち電流ＩFgの向き）となっている。
【００６４】
こうすることによって、電流の方向がＩFgの時は電流制限抵抗１２ｒが見かけ上短絡され（ダイオード１２ｇの順方向電圧は無視する）、電流ＩFgの値は電流ＩFrの値より大きくなる。
従って、互いに色調の異なるＬＥＤを並列に接続するような場合、ＬＥＤ９ｇにはＬＥＤ９ｒより大きな電流を必要とするものを使用（例えばＬＥＤ９ｇには緑を、ＬＥＤ９ｒには赤を使用）することで、両者の明るさを合わせることができる。
【００６５】
さらには、発光素子はＬＥＤに限定されず、スキャンマトリックス回路によってダイナミック表示に用いることができる発光素子であれば、本発明が適用可能である。
この場合、極性の無い発光素子の場合には、逆流防止ダイオードを各々直列に接続し、互いに電流の方向が逆方向となるように並列に構成すれば、本発明の範疇である。
【００６６】
なお本発明では、マトリックス回路１１内の全てでＬＥＤ９ａとＬＥＤ９ｂとを対にすると、スキャン周期が本来の時間の２倍になってしまう（図７および図１４参照）。このように、スキャン周期が長くなると、ＬＥＤのちらつきが目立つようになる等、他の問題点が発生する可能性もある。
そこで、例えば図１１に示すように、増やしたいＬＥＤの数に対応し得る部分だけ、ＬＥＤ９ａとＬＥＤ９ｂとを対にする構成であっても良い。
【００６７】
図１１に示す例では、選択信号ＳＥＬ１と制御信号ＣＮＴ１〜３の組み合わせの部分のみＬＥＤ対９を構成し、これ以外の部分ではＬＥＤ９ａのみとなっている。
図１２には、操作部基板６ｂの詳細な構成例を示す。この図１２に示すマトリックス回路１１ｂ内の構成は図６に示すものと対応しているが、図１１に示す構成では番号［１１］および番号［１２］、番号［１４］、番号［１５］、番号［１７］さらに番号［１８］のＬＥＤ９ｂは存在しないことになる。
【００６８】
この図１１に示す構成における選択信号ＳＥＬ１〜ＳＥＬ３ならびに制御信号ＣＮＴ１〜ＣＮＴ３の変化の様子の一例を、図１３に示す。
図１３によると、図１１に示す構成では、選択信号ＳＥＬ２ならびに選択信号ＳＥＬ３は“Ｌ”とすることなくスキャン周期を繰り返している（選択信号ＳＥＬ２ならびに選択信号ＳＥＬ３にはＬＥＤ９ｂに相当する構成が接続されていないので、“Ｌ”にするタイミングを飛ばしている）。
即ち、スキャンの１周期を時間４ｔとするだけで、合計１２個のＬＥＤの点灯・消灯を制御することができる。このような構成も本発明の範疇である。
【符号の説明】
【００６９】
３  制御装置
５、５-11、５-12・・・  電流制限抵抗
６、６ａ、６ｂ  操作部基板
７、７-11、７-12・・・  ドライバー（第２のプッシュプル回路）
７ａ、７ａ-11、７ａ-12・・・  ＮＰＮトランジスター
７ｂ、７ｂ-11、７ｂ-12・・・  ＰＮＰトランジスター
８、８-10、８-20、８-30  ドライバー（第１のプッシュプル回路）
８ａ、８ａ-10、８ａ-20・・・  ＮＰＮトランジスター
８ｂ、８ｂ-10、８ｂ-20・・・  ＰＮＰトランジスター
９  ＬＥＤ対（発光素子群）
９ａ、９ａ-11、９ａ-12・・・  ＬＥＤ（第１の発光素子）
９ｂ、９ｂ-11、９ｂ-12・・・  ＬＥＤ（第２の発光素子）
９ｇ、９ｒ  ＬＥＤ
１０  ケーブル
１１、１１ｂ  マトリックス回路
１２ｇ  ダイオード
１２ｒ  電流制限抵抗
３１  ＣＰＵ（制御回路）
３２  Ｉ／Ｏ
８０  制御装置
８１  集積回路
８２  ＭＰＸ
９０  操作部基板
９２-11、９２-12・・・  ＬＥＤ
９３-10、９３-11・・・  トランジスター
９４-11、９４-12、９４-12  定電流回路
９５  ケーブル
ＩFa  電流（第１の電流）
ＩFb  電流（第２の電流）
ＳＥＬ、ＳＥＬ１〜ＳＥＬ３  選択信号（第１の信号）
ＣＮＴ、ＣＮＴ１〜ＣＮＴ３  制御信号（第２の信号）
ＣＮＴａ、ＣＮＴ１ａ〜ＣＮＴ３ａ  制御信号（第２の信号）
【図１】
0006256302.tif 000002
【図２】
0006256302.tif 000003
【図３】
0006256302.tif 000004
【図４】
0006256302.tif 000005
【図５】
0006256302.tif 000006
【図６】
0006256302.tif 000007
【図７】
0006256302.tif 000008
【図８】
0006256302.tif 000009
【図９】
0006256302.tif 000010
【図１０】
0006256302.tif 000011
【図１１】
0006256302.tif 000012
【図１２】
0006256302.tif 000013
【図１３】
0006256302.tif 000014
【図１４】
0006256302.tif 000015